(57)【要約】  本発明は、フロント表面及びリア表面を有する累進多焦点眼用レンズに関し、各表面は、各点に高さ、平均球面値及び円柱面値を有しており、また、前記レンズのフロント表面は、以下を含む：−遠方視基準点を有する遠方視領域、−近方視基準点を有する近方視領域、−主要経線。また、前記フロント表面は漸減的であり、かつ、以下を有する：−前記主要経線（３２）の一部、前記遠方視基準点（ＦＶ）及び前記近方視基準点（ＮＶ）を含む前記レンズの中央部分の任意の点における７．５０．１０−１ｍｍ−１未満の球面勾配正規化値、−前記レンズの中央部分の任意の点における１．４５ｍｍ−１未満の円柱面勾配正規化値。
2014512023.tif 000002
【特許請求の範囲】
【請求項１】
フロント表面及びリア表面を含む累進多焦点眼用レンズであって、各表面が各点において高さ（ｚ）、平均球面値（ＳＰＨｍｅａｎ）及び円柱面値（ＣＹＬ）を有し、
前記レンズの前記フロント表面が、
−  遠方視基準点（ＦＶ）を有する遠方視領域（２６）、
−  近方視基準点（ＮＶ）を有する近方視領域（２８）、
−  主要経線（３２）
を含み、前記フロント表面が漸減的であり、かつ、
−  前記主要経線（３２）の一部分、前記遠方視基準点（ＦＶ）及び前記近方視基準点（ＮＶ）を含む前記レンズの中央部分における任意の点において７．５０．１０−１ｍｍ−１未満の球面勾配（ＧｒａｄＳＰＨ）正規化値、
−  前記レンズの前記中央部分における任意の点における１．４５ｍｍ−１未満の円柱面勾配（ＧｒａｄＣＹＬ）正規化値
を有する、眼用レンズ。
【請求項２】
フロント表面及びリア表面を含む累進多焦点眼用レンズであって、各表面が各点において高さ（ｚ）、平均球面値（ＳＰＨｍｅａｎ）及び円柱面値（ＣＹＬ）を有し、
前記レンズの前記フロント表面が、
−  遠方視基準点（ＦＶ）を有する遠方視領域（２６）、
−  近方視基準点（ＮＶ）を有する近方視領域（２８）、
−  主要経線（３２）
を含み、前記フロント表面が漸減的であり、かつ、前記主要経線（３２）の一部分、前記遠方視基準点（ＦＶ）及び前記近方視基準点（ＮＶ）を含む前記レンズの中央部分における任意の点において５．０．１０−５ｍｍ−２．ジオプター−１未満の高さに関する第四次導関数（Ｄ４）正規化値を有する、眼用レンズ。
【請求項３】
前記フロント表面が前記レンズの前記中央部分における任意の点において５．０．１０−５ｍｍ−２．ジオプター−１未満の高さに関する第４次導関数（Ｄ４）正規化値をさらに有する、請求項１に記載の累進多焦点眼用レンズ。
【請求項４】
少なくとも１つの表面が、２つの極小マーキングと、前記２つの極小マーキングを結ぶセグメントの中心に位置する中心点とを含み、前記レンズの前記中央部分が前記中心点に中央配置される４０ｍｍの円である、請求項１〜３のいずれか一項に記載の累進多焦点眼用レンズ。
【請求項５】
第１漸減表面および第２未仕上げ表面を有する半製品眼鏡レンズブランクであって、前記第１漸減表面が各点において高さ（ｚ）、平均球面値（ＳＰＨｍｅａｎ）および円柱面値（ＣＹＬ）を有し、前記第１漸減表面が、
−  遠方視基準点（ＦＶ）を有する遠方視領域（２６）
−  近方視基準点（ＮＶ）を有する近方視領域（２８）
−  主要経線（３２）、
を含み、前記第１漸減表面が、前記主要経線（３２）の一部分、前記遠方視基準点（ＦＶ）および前記近方視基準点（ＮＶ）を含む前記ブランクの少なくとも中央部分における任意の点において５．０．１０−５ｍｍ−２．ジオプター−１未満の高さに関する第四次導関数（Ｄ４）正規化値を有する、半製品眼鏡レンズブランク。
【請求項６】
前記第１漸減表面が、
−  前記中央部分の任意の点における７．５０．１０−１ｍｍ−１未満の球面勾配（ＧｒａｄＳＰＨ）正規化値と、
−  前記中央部分の任意の点における１．４５ｍｍ−１未満の円柱面勾配（ＧｒａｄＣＹＬ）正規化値と
を有する、請求項５に記載の半製品眼鏡レンズブランク。
【請求項７】
第１漸減表面及び第２未仕上げ表面を有する半製品眼鏡レンズブランクであって、前記第１漸減表面が各点において高さ（ｚ）、平均球面値（ＳＰＨｍｅａｎ）及び円柱面値（ＣＹＬ）を有し、前記第１漸減表面が、
−  遠方視基準点（ＦＶ）を有する遠方視領域（２６）、
−  近方視基準点（ＮＶ）を有する近方視領域（２８）、
−  主要経線（３２）
を含み、前記第１漸減表面が、
−  前記主要経線（３２）の一部分、前記遠方視基準点（ＦＶ）及び前記近方視基準点（ＮＶ）を含む前記ブランクの中央部分の任意の点における７．５０．１０−１ｍｍ−１未満の球面勾配（ＧｒａｄＳＰＨ）正規化値と、
−  前記中央部分の任意の点における１．４５ｍｍ−１未満の円柱面勾配（ＧｒａｄＣＹＬ）正規化値と
を有する、半製品眼鏡レンズブランク。
【請求項８】
前記ブランクが前記ブランクの中心点の位置を定義するマーキングを有し、前記ブランクの前記中央部分が前記中心点に中央配置される４０ｍｍ直径の円である、請求項５〜７のいずれか一項に記載の半製品眼鏡レンズブランク。
【請求項９】
半製品レンズブランクを製造する方法であって、
−  第１表面及び第２未仕上げ表面を定義するステップであって、第１表面が各点において高さ（ｚ）、平均球面値（ＳＰＨｍｅａｎ）及び円柱面値（ＣＹＬ）を有するステップと、
−  遠方視基準点（ＦＶ）を有する遠方視領域（２６）、近方視基準点（ＮＶ）を有する近方視領域（２８）、主要経線（３２）、及び前記主要経線（３２）の一部分と前記遠方視基準点（ＦＶ）と前記近方視基準点（ＮＶ）とを含む前記第１表面の中央部分を定義するステップと、
−  前記第１表面を決定するステップであって、
−  前記遠方視領域（２６）の少なくとも一部と前記近方視領域（２８）の少なくとも一部との間の前記平均球面値（ΔＳＰＨｍｅａｎ）の漸減、及び
−  前記中央部分における任意の点における５．０．１０−５未満の高さに関する第四次導関数（Ｄ４）正規化値
を有するステップと、
−  前記第１表面を表面加工又は成型するステップと
を含む、方法。
【請求項１０】
半製品レンズブランクを製造する方法であって、
−  第１表面及び第２未仕上げ表面を定義するステップであって、第１表面が各点において高さ（ｚ）、平均球面値（ＳＰＨｍｅａｎ）及び円柱面値（ＣＹＬ）を有するステップと、
−  遠方視基準点（ＦＶ）を有する遠方視領域（２６）、近方視基準点（ＮＶ）を有する近方視領域（２８）、主要経線（３２）、及び前記主要経線（３２）の一部分と前記遠方視基準点（ＦＶ）と前記近方視基準点（ＮＶ）とを含む前記第１表面の中央部分を定義するステップと、
−  前記第１表面を決定するステップであって、
−  前記遠方視領域（２６）の少なくとも一部と前記近方視領域（２８）の少なくとも一部との間の前記平均球面値（ΔＳＰＨｍｅａｎ）の漸減、
−  前記中央部分の任意の点における７．５０．１０−１ｍｍ−１未満の球面勾配（ＧｒａｄＳＰＨ）正規化値、及び
−  前記中央部分の任意の点における１．４５ｍｍ−１未満の円柱面勾配（ＧｒａｄＣＹＬ）正規化値、
を有するステップと、
−  前記第１表面を表面加工又は成型するステップと
を含む、方法
【請求項１１】
累進多焦点眼用レンズを製造する方法であって、
−  着用者に関するデータを提供するステップと、
−  請求項５〜８のいずれか一項による半製品レンズブランクを選択するステップと、
−  着用者に関する前記データ及び前記ブランクの前記第１漸減表面に関する前記データに基づいて前記レンズの光学的最適化を行うステップと、
−  選択された前記半製品レンズブランクを供給し、かつ、前記ブランクの前記未仕上げ表面を前記光学的最適化の結果に従って表面加工又は成型するステップと
を含む、方法。
【請求項１２】
累進多焦点眼用レンズを製造する方法であって、
−  着用者に関するデータを提供するステップと、
−  遠方視基準点（ＦＶ）を有する遠方視領域（２６）、近方視基準点（ＮＶ）を有する近方視領域（２８）、主要経線（３２）を定義するステップと、
−  前記レンズの第１表面を定義するステップであって、
−  前記遠方視領域（２６）の少なくとも一部と前記近方視領域（２８）の少なくとも一部との間の前記平均球面値（ΔＳＰＨｍｅａｎ）の漸減、
−  前記主要経線（３２）の一部分、前記遠方視基準点（ＦＶ）及び前記近方視基準点（ＮＶ）を含む前記レンズの中央部分の任意の点における７．５０．１０−１ｍｍ−１未満の球面勾配（ＧｒａｄＳＰＨ）正規化値、及び
−  前記レンズの前記中央部分の任意の点における１．４５ｍｍ−１未満の円柱面勾配（ＧｒａｄＣＹＬ）正規化値
を有するステップと、
−  前記着用者に関する前記データ及び前記レンズの前記第１表面に関する前記データに従って前記レンズの光学的最適化を行うステップと、
−  前記光学的最適化の結果に従って前記レンズの第２表面を決定するステップと、
−  前記第１及び第２表面を表面加工又は成型するステップと
を含む、方法。
【請求項１３】
累進多焦点眼用レンズを製造する方法であって、
−  着用者に関するデータを提供するステップと、
−  遠方視基準点（ＦＶ）を有する遠方視領域（２６）、近方視基準点（ＮＶ）を有する近方視領域（２８）、主要経線（３２）を定義するステップと、
−  前記レンズの第１表面を定義するステップであって、
−  前記遠方視領域（２６）の少なくとも一部と前記近方視領域（２８）の少なくとも一部との間の平均球面値（ΔＳＰＨｍｅａｎ）の漸減、及び
−  前記主要経線（３２）の一部分、前記遠方視基準点（ＦＶ）及び前記近方視基準点（ＮＶ）を含む前記レンズの中央部分の任意の点における５．０．１０−５未満の高さに関する第四次導関数（Ｄ４）正規化値
を含むステップと、
−  前記着用者に関する前記データ及び前記レンズの前記第１表面に関する前記データに従って前記レンズの光学的最適化を行うステップと、
−  前記光学的最適化の結果に従って前記レンズの第２表面を決定するステップと、
−  前記第１及び第２表面を表面加工又は成型するステップと
を含む、方法。
【請求項１４】
累進多焦点眼用レンズ及び／又は半製品レンズブランクを製造する一連の装置であって、請求項９〜１３のいずれか一項による方法のステップを実行するように適合される装置。
【請求項１５】
処理装置でアクセスでき、前記処理装置により実行されたとき請求項９〜１３のいずれか一項のステップを前記処理装置に実行させる１つ以上の記憶された命令シーケンスを含むコンピュータ・プログラム製品。
【請求項１６】
請求項１５の前記コンピュータ・プログラム製品の１つ以上の命令シーケンスを実行するコンピュータ読み取り可能媒体。
【発明の詳細な説明】
【技術分野】
【０００１】
本発明は、累進多焦点眼用レンズに関する。本発明は、機械加工を経て累進多焦点眼用レンズとなる前の第１非球面表面及び第２未仕上げ表面を有する半製品レンズブランクにも関する。本発明は、かかる累進多焦点眼用レンズ及びかかる半製品レンズブランクを製造する方法にも関する。
【背景技術】
【０００２】
着用者は、正又は負の屈折力補正を処方される。眼科処方は、屈折力及び／又は乱視の処方を含むことがある。老眼のある着用者の場合には、屈折力補正の値は、近方視（ｎｅａｒ  ｖｉｓｉｏｎ）における調整が困難であるために、遠方視（ｆａｒ  ｖｉｓｉｏｎ）と近方視とにおいて相異なる。したがって、処方は、遠方視のパワーの値と、遠方視と近方視との間の屈折力の増分を表す加入度を含む。この加入度は、処方加入度と呼ばれる。老眼のある着用者に適する眼用レンズは、多焦点レンズであり、最も適するレンズは累進多焦点眼用レンズである。
【０００３】
眼科処方は、乱視処方を含むことがある。かかる処方は、眼科医により軸値（度数単位）及び振幅値（ジオプトリ単位）から形成される対の形式で作成される。振幅値は、着用者の視覚障害を矯正することができる所与の方向における最小及び最大屈折率間の差異を表す。選択されている規則によると、軸は、基準軸との関係及び選択された回転方向における２つの屈折率の一方の向きを表す。一般的に、ＴＡＢＯ規則（ＴＡＢＯ  ｃｏｎｖｅｎｔｉｏｎ）が使用される。この規則では、基準軸は水平であり、回転方向は各眼について着用者に向かって反時計方向である。したがって＋４５°の軸値は、着用者に向かって見て斜めを向く軸を表し、右上の象限から左下の象限に伸びる。かかる乱視処方は、遠方視で見る着用者について測定される。用語「乱視」は、前記の対（振幅、角度）を指示するために使用される。この使用法は厳密には正しくないが、この用語は乱視の振幅を指す場合にも使用される。当業者は、文脈からどちらの意味と考えるべきか理解できる。着用者について処方された屈折力及び乱視が一般的に球面（ＳＰＨ）、円柱面（ＣＹＬ）、及び軸と呼ばれることも当業者にはよく知られている。
【０００４】
着用者処方に対応する累進多焦点眼用レンズを得るために、半製品眼用レンズブランクは、レンズ・メーカーから入手することができる。一般的に、半製品眼用レンズブランクは、光学基準表面に対応する第１表面、たとえば、在来の累進多焦点眼用レンズの場合の累進表面、及び第２未仕上げ表面から構成されている。適切な光学特性を有する半製品レンズブランクは着用者処方に基づいて選択され、かつ、未仕上げ表面は処方室により加工・研磨されて処方に準拠するレンズとなる。半製品レンズブランクは、成型又はデジタル表面加工により製造することができる。未仕上げ表面は、デジタル表面加工により機械加工することができる。
【０００５】
累進多焦点眼用レンズもデジタル表面加工装置を使用して両方の表面を直接機械加工することにより製作することができる。列レンズブランクが供給される。第１非球面表面を機械加工し、次に第２非球面表面を機械加工するが、この際、第２非球面表面は、第１非球面表面に関するデータ及び着用者に関するデータに基づく光学的最適化により決定される。このようにして処方に準拠する眼用レンズが得られる。
【０００６】
半製品レンズブランクから開始するか、あるいは両方の表面をデジタル表面加工により機械加工するか、いずれの技術を使用するにせよ、レンズの光学的特性を実現するためにデジタル表面加工機械におけるレンズの正確な位置付けが必要である。
【０００７】
国際公開第Ａ−２０１０／０７２７４９号パンフレットは、デジタル表面加工により眼用レンズを製造する方法を開示し、かつ、ブロッカー上においてレンズ部材を正確に位置付けする課題を示している。
【発明の概要】
【発明が解決しようとする課題】
【０００８】
本発明は、レンズの光学的品質を維持しつつ累進多焦点眼用レンズの製造を容易にすることを目的としている。
【課題を解決するための手段】
【０００９】
この目的は、フロント表面及びリア表面からなる累進多焦点眼用レンズにより達成される。これらの各表面は、各点において、高度、平均球面値及び円柱面値を有しており、また、レンズのフロント表面は、
−  遠方視基準点を有する遠方視領域、
−  近方視基準点を有する近方視領域、
−  主要経線
を含み、フロント表面は漸減的であり、かつ
−  主要経線の一部分を含むレンズの中心部分の任意の点における７．５０．１０−１ｍｍ−１未満の球面勾配正規化値、遠方視基準点及び近方視基準点、
−  レンズの中心部分の任意の点における１．４５ｍｍ−１未満の円柱面勾配正規化値
を有する。
【００１０】
１つの実施形態に従って、レンズのフロント表面は、さらに、レンズの中心部分の任意点において５．０．１０−５ｍｍ−２．ジオプター−１未満の高さに関する第四次導関数正規化値を有する。
【００１１】
本発明の目的は、また、フロント表面及びリア表面を含む累進多焦点眼用レンズによっても達成される。これらの各表面は、各点において、高度、平均球面値及び円柱面値を有しており、また、レンズのフロント表面は、
−  遠方視基準点を有する遠方視領域、
−  近方視基準点を有する近方視領域、
−  主要経線
以下を含み、フロント表面は漸減的であり、主要経線の一部分を含むレンズの中心部分の任意点において５．０．１０−５ｍｍ−２．ｄｉｏｐｔｅ−１未満の高さに関する第四次導関数正規化値、遠方視基準点及び近方視基準点を有する。
【００１２】
１つの実施形態に従って、レンズの少なくとも１つの表面は、２つの極小マーキング及びこれらの２つの極小マーキングを結合するセグメントの中心に位置する中心点を含んでおり、レンズの中心部分は、中心点上の中心に置かれている直径４０ｍｍの円である。
【００１３】
本発明の目的は、第１漸減表面及び第２未仕上げ表面を有する半製品眼鏡レンズブランクによっても達成される。第１漸減表面は、各点において、高さ、平均球面値及び円柱面値を有する。ただし、第１漸減表面は、遠方視基準点を有する遠方視領域、近方視基準点を有する近方視領域及び主要経線を有しており、また、第１漸減表面は、主要経線の一部分、遠方視基準点及び近方視基準点を含むブランクの少なくとも中心部分の任意点において５．０．１０−５ｍｍ−２．ジオプター−１未満の高さに関する第四次導関数正規化値、遠方視基準点及び近方視基準点、遠方視基準点及び近方視基準点を有する。
【００１４】
１つの実施形態によると、第１の漸減表面は、さらに以下を含んでいる。
【００１５】
−  中心部分の任意の点における７．５０．１０−１ｍｍ−１未満の球面勾配正規化値、
−  中心部分の任意の点における１．４５ｍｍ−１未満の円柱面勾配正規化値。
【００１６】
本発明の目的は、第１漸減表面及び第２未仕上げ表面を有する半製品眼鏡レンズブランクによっても達成される。第１漸減表面は、各点において、高さ、平均球面値及び円柱面値を有する。ただし、第１漸減表面は、遠方視基準点を有する遠方視領域、近方視基準点を有する近方視領域及び主要経線を有しており、また、第１漸減表面は、以下を有する。
【００１７】
−  主要経線の一部分、遠方視基準点及び近方視基準点を含む中心部分の任意の点における７．５０．１０−１ｍｍ−１未満の球面勾配正規化値、
−  中心部分の任意の点における１．４５ｍｍ−１未満の円柱面勾配正規化値。
【００１８】
１つの実施形態によると、ブランクは、ブランク中心点の位置を定めるマーキングを有しており、ブランクの中心点はこの中心点上に中心の位置に置かれた直径４０ｍｍの円である。
【００１９】
本発明は、半製品レンズブランクを製造する方法にも関し、以下のステップを含む。
【００２０】
−  第１表面及び第２未仕上げ表面を定義するステップであって、この第１表面が各点に高さ、平均球面値及び円柱面値を有するステップ、
−  遠方視基準点を有する遠方視領域、近方視基準点を有する近方視領域、主要経線及び第１表面の中心部分（主要経線の一部分、遠方視基準点及び近方視基準点を含む）を定義するステップ、
−  以下を有する第１表面を決定するステップ：
・  遠方視領域の少なくとも一部と近方視領域の少なくとも一部との間の平均球面値の漸減、及び
・  中心部分の任意点における５．０．１０−５未満の高さに関する第四次導関数正規化値、
−  第１表面を表面加工又は成型するステップ。
【００２１】
本発明は、さらに、半製品レンズブランクを製造する方法に関し、以下のステップを含む。
【００２２】
−  第１表面及び第２未仕上げ表面を定義するステップであって、この第１表面は、各点において高さ、平均球面値及び円柱面値を有するステップ、
−  遠方視基準点を有する遠方視領域、近方視基準点を有する近方視領域、主要経線及び第１表面の中心点（主要経線の一部分、遠方視基準点及び近方視基準点を含む）を定義するステップ、
−  以下を有する第１表面を決定するステップ：
・  遠方視領域の少なくとも一部と近方視領域の少なくとも一部との間の平均球面値の漸減、及び
・  中心部分の任意の点における７．５０．１０−１ｍｍ−１未満の球面勾配正規化値、及び
・  中心部分の任意の点における１．４５ｍｍ−１未満の円柱面勾配正規化値、
−  第１表面を表面加工又は成型するステップ。
【００２３】
本発明は、さらに、累進多焦点眼用レンズを製造する方法に関し、以下のステップを含む。
【００２４】
−  着用者に関するデータを提供するステップ、
−  本発明に従って半製品レンズブランクを選択するステップ、
−  着用者に関するデータ及びブランクの第１漸減表面に関するデータに基づいてレンズの最適化を行うステップ、
−  選択された半製品レンズブランクを提供するステップ及び光学的最適化の結果に従ってブランクの未仕上げ表面を表面加工又は成型するステップ。
【００２５】
本発明は、さらに、累進多焦点眼用レンズを製造する方法に関し、以下のステップを含む。
【００２６】
−  着用者に関するデータを提供するステップ、
−  遠方視基準点を有する遠方視領域、近方視基準点を有する近方視領域、主要経線を定義するステップ、
−  以下を有する第１表面を定義するステップ：
・  遠方視領域の少なくとも一部と近方視領域の少なくとも一部との間の平均球面値の漸減、
・  主要経線の一部分、遠方視基準点及び近方視基準点を含むレンズの中心部分の任意の点における７．５０．１０−１ｍｍ−１未満の球面勾配正規化値、
・  レンズの中心部分の任意の点における１．４５ｍｍ−１未満の円柱面勾配正規化値、
−  着用者に関するデータ及びレンズの第１表面に関するデータに基づいてレンズの最適化を行うステップ、
−  光学的最適化の結果に従ってレンズの第２表面を決定するステップ、
−  第１及び第２表面を表面加工又は成型するステップ。
【００２７】
本発明は、累進多焦点眼用レンズを製造する方法にも関し、以下のステップを含む。
【００２８】
−  着用者に関するデータを提供するステップ、
−  遠方視基準点を有する遠方視領域、近方視基準点を有する近方視領域、主要経線を定義するステップ、
−  以下を有するレンズの第１表面を定義するステップ：
・  遠方視領域の少なくとも一部と近方視領域の少なくとも一部との間の平均球面値の漸減、
・  主要経線の一部分、遠方視基準点及び近方視基準点を含むレンズの中心部分の任意の点における５．０．１０−５未満の高さに関する第四次導関数正規化値、
−  着用者に関するデータ及びレンズの第１表面に関するデータに基づいてレンズの最適化を行うステップ、
−  光学的最適化の結果に従ってレンズの第２表面を決定するステップ、
−  第１及び第２表面を表面加工又は成型するステップ。
【００２９】
本発明は、累進多焦点眼用レンズ及び／又は半製品レンズブランクを製造するための一連の装置にも関する。これらの装置は、本発明による方法のステップを実行するように適合化される。
【００３０】
本発明は、さらに、処理装置でアクセスできる１つ以上の命令記憶シーケンスを含むコンピュータ・プログラム製品に関する。これらのシーケンスは、処理装置により実行されたとき、処理装置に本発明による方法のステップを実行させる。本発明は、本発明のコンピュータ・プログラム製品の１つ以上の命令シーケンスを実行するコンピュータ読み取り可能媒体にも関する。
【００３１】
遠方視基準点（ｒｅｓｐ．近方視基準点）は、たとえば、制御点でよい。より一般的に言うと、遠方視基準点（ｒｅｓｐ．近方視基準点）は、遠方視領域（ｒｅｓｐ．近方視領域）中のフロント表面の任意の他の点とすることができる。
【００３２】
球面及び円柱面の変化（球面の勾配及び円柱面の勾配とも呼ばれる）及び／又は球面及び円柱面の変化の加速度は、本発明に従って累進多焦点眼用レンズのフロント表面上で制御される。したがって、レンズの光学的品質を維持しつつ、リア表面のデジタル表面加工機械による機械加工の高度な技術的実行可能性を確保することができる。
【００３３】
本発明のさらなる特徴及び長所は、以下に列挙する添付図面を参照しつつ非限定的な例示として与えられる本発明の実施形態に関する以下の説明から明らかとなるであろう。
【図面の簡単な説明】
【００３４】
【図１】第１比較例による、半製品レンズブランクのフロント表面の経線沿いの平均球面のグラフである。
【図２】第１比較例による、半製品レンズブランクのフロント表面の経線沿いの平均球面のマップである。
【図３】第１比較例による、半製品レンズブランクのフロント表面の経線沿いの円柱面のマップである。
【図４】第１比較例による、半製品レンズブランクのフロント表面の経線沿いの球面勾配のマップである。
【図５】第１比較例による、半製品レンズブランクのフロント表面の経線沿いの円柱面勾配のマップである。
【図６】第２比較例による、半製品レンズブランクのフロント表面の経線沿いの平均球面のグラフである。
【図７】第２比較例による、半製品レンズブランクのフロント表面の経線沿いの平均球面のマップである。
【図８】第２比較例による、半製品レンズブランクのフロント表面の経線沿いの円柱面のマップである。
【図９】第２比較例による、半製品レンズブランクのフロント表面の経線沿いの球面勾配のマップである。
【図１０】第２比較例による、半製品レンズブランクのフロント表面の経線沿いの円柱面勾配のマップである。
【図１１】本発明の第１の実施形態による、半製品レンズブランクのフロント表面の経線沿いの平均球面のグラフ、である。
【図１２】本発明の第１の実施形態による、半製品レンズブランクのフロント表面の経線沿いの平均球面のマップである。
【図１３】本発明の第１の実施形態による、半製品レンズブランクのフロント表面の経線沿いの円柱面のマップである。
【図１４】本発明の第１の実施形態による、半製品レンズブランクのフロント表面の経線沿いの球面勾配のマップである。
【図１５】本発明の第１の実施形態による、半製品レンズブランクのフロント表面の経線沿いの円柱面勾配のマップである。
【図１６】本発明の第２の実施形態による、半製品レンズブランクのフロント表面の経線沿いの平均球面のグラフ、である。
【図１７】本発明の第２の実施形態による、半製品レンズブランクのフロント表面の経線沿いの平均球面のマップである。
【図１８】本発明の第２の実施形態による、半製品レンズブランクのフロント表面の経線沿いの円柱面のマップである。
【図１９】本発明の第２の実施形態による、半製品レンズブランクのフロント表面の経線沿いの球面勾配のマップである。
【図２０】本発明の第２の実施形態による、半製品レンズブランクのフロント表面の経線沿いの円柱面勾配のマップである。
【図２１】本発明の第３の実施形態による、半製品レンズブランクのフロント表面の経線沿いの平均球面のグラフ、である。
【図２２】本発明の第３の実施形態による、半製品レンズブランクのフロント表面の経線沿いの平均球面のマップである。
【図２３】本発明の第３の実施形態による、半製品レンズブランクのフロント表面の経線沿いの円柱面のマップである。
【図２４】本発明の第３の実施形態による、半製品レンズブランクのフロント表面の経線沿いの球面勾配のマップである。
【図２５】本発明の第３の実施形態による、半製品レンズブランクのフロント表面の経線沿いの円柱面勾配のマップである。
【図２６】検討下のレンズの公称性能の光学的分析を示す。
【図２７】検討下のレンズの公称性能の光学的分析を示す。
【図２８】検討下のレンズの公称性能の光学的分析を示す。
【図２９】検討下のレンズの公称性能の光学的分析を示す。
【図３０】検討下のレンズの公称性能の光学的分析を示す。
【図３１】検討下のレンズの公称性能の光学的分析を示す。
【図３２】検討下のレンズの公称性能の光学的分析を示す。
【図３３】検討下のレンズの公称性能の光学的分析を示す。
【図３４】検討下のレンズの公称性能の光学的分析を示す。
【図３５】検討下のレンズの公称性能の光学的分析を示す。
【図３６】検討下のレンズの公称性能の光学的分析を示す。
【図３７】検討下のレンズの公称性能の光学的分析を示す。
【図３８】検討下のレンズの公称性能の光学的分析を示す。
【図３９】検討下のレンズの公称性能の光学的分析を示す。
【図４０】検討下のレンズの公称性能の光学的分析を示す。
【図４１】図１〜５の半製品レンズブランクを使用したときの、リア表面の経線沿いの平均球面のグラフである。
【図４２】図１〜５の半製品レンズブランクを使用したときの、リア表面の経線沿いの平均球面のマップである。
【図４３】図１〜５の半製品レンズブランクを使用したときの、リア表面の経線沿いの円柱面のマップである。
【図４４】図１〜５の半製品レンズブランクを使用したときの、リア表面の経線沿いの球面勾配のマップである。
【図４５】図１〜５の半製品レンズブランクを使用したときの、リア表面の経線沿いの円柱面勾配のマップである。
【図４６】図６〜１０の半製品レンズブランクを使用したときの、リア表面の経線沿いの平均球面のグラフである。
【図４７】図６〜１０の半製品レンズブランクを使用したときの、リア表面の経線沿いの平均球面のマップである。
【図４８】図６〜１０の半製品レンズブランクを使用したときの、リア表面の経線沿いの円柱面のマップである。
【図４９】図６〜１０の半製品レンズブランクを使用したときの、リア表面の経線沿いの球面勾配のマップである。
【図５０】図６〜１０の半製品レンズブランクを使用したときの、リア表面の経線沿いの円柱面勾配のマップである。
【図５１】図１１〜１５の半製品レンズブランクを使用したときの、リア表面の経線沿いの平均球面のグラフである。
【図５２】図１１〜１５の半製品レンズブランクを使用したときの、リア表面の経線沿いの平均球面のマップである。
【図５３】図１１〜１５の半製品レンズブランクを使用したときの、リア表面の経線沿いの円柱面のマップである。
【図５４】図１１〜１５の半製品レンズブランクを使用したときの、リア表面の経線沿いの球面勾配のマップである。
【図５５】図１１〜１５の半製品レンズブランクを使用したときの、リア表面の経線沿いの円柱面勾配のマップである。
【図５６】図１６〜２０の半製品レンズブランクを使用したときの、リア表面の経線沿いの平均球面のグラフである。
【図５７】図１６〜２０の半製品レンズブランクを使用したときの、リア表面の経線沿いの平均球面のマップである。
【図５８】図１６〜２０の半製品レンズブランクを使用したときの、リア表面の経線沿いの円柱面のマップである。
【図５９】図１６〜２０の半製品レンズブランクを使用したときの、リア表面の経線沿いの球面勾配のマップである。
【図６０】図１６〜２０の半製品レンズブランクを使用したときの、リア表面の経線沿いの円柱面勾配のマップである。
【図６１】図２１〜２５の半製品レンズブランクを使用したときの、リア表面の経線沿いの平均球面のグラフである。
【図６２】図２１〜２５の半製品レンズブランクを使用したときの、リア表面の経線沿いの平均球面のマップである。
【図６３】図２１〜２５の半製品レンズブランクを使用したときの、リア表面の経線沿いの円柱面のマップである。
【図６４】図２１〜２５の半製品レンズブランクを使用したときの、リア表面の経線沿いの球面勾配のマップである。
【図６５】図２１〜２５の半製品レンズブランクを使用したときの、リア表面の経線沿いの円柱面勾配のマップである。
【図６６】位置決め不良が発生した場合の、第１の比較例によるレンズの性能の光学的分析を示す。
【図６７】位置決め不良が発生した場合の、第１の比較例によるレンズの性能の光学的分析を示す。
【図６８】位置決め不良が発生した場合の、第１の比較例によるレンズの性能の光学的分析を示す。
【図６９】位置決め不良が発生した場合の、本発明の第３の実施形態によるレンズの性能の光学的分析を示す。
【図７０】位置決め不良が発生した場合の、本発明の第３の実施形態によるレンズの性能の光学的分析を示す。
【図７１】位置決め不良が発生した場合の、本発明の第３の実施形態によるレンズの性能の光学的分析を示す。
【図７２】公称性能の光学的分析と位置決め不良が発生した場合の性能の光学的分析を比較する。
【図７３】公称性能の光学的分析と位置決め不良が発生した場合の性能の光学的分析を比較する。
【図７４】公称性能の光学的分析と位置決め不良が発生した場合の性能の光学的分析を比較する。
【図７５】公称性能の光学的分析と位置決め不良が発生した場合の性能の光学的分析を比較する。
【図７６】公称性能の光学的分析と位置決め不良が発生した場合の性能の光学的分析を比較する。
【図７７】公称性能の光学的分析と位置決め不良が発生した場合の性能の光学的分析を比較する。
【図７８】検討下の各レンズについて公称性能からの最大偏差を示すグラフである。
【図７９】極小マーキングを有する表面について、極小マーキングに関して定義された基準を示す。
【図８０】極小マーキングをもたない表面について、極小マーキングに関して定義された基準を示す。
【図８１】多焦点累進レンズの略図である。
【図８２】ブロッカーに置かれるレンズブランクの透視図である。
【図８３】本発明によるレンズを製造する方法のステップのフローチャートである。
【００３５】
これらの図面の要素は、単純性及び明晰性を意図して図示されており、必ずしも実際の寸法の縮尺表示でないことが見てとれるであろう。たとえば、これらの図面中の要素の一部の寸法は、本発明の実施形態のより良い理解に資するために他の要素に対して誇張されている。
【発明を実施するための形態】
【００３６】
累進レンズは、２つの非回転的に対象な非球面表面、たとえば、累進表面、漸減表面、トーリック表面又はアトーリック表面を含むがこれらに限定されない表面を含む。
【００３７】
よく知られているように、非球面表面の各点は、高さｚを有する。表面の各点について、最小曲率ＣＵＲＶｍｉｎは、次の等式により与えられる：
【００３８】
【数１】
2014512023.tif 000003
【００３９】
ただし、Ｒｍａｘは、メートル単位で表した局所的最大曲率半径であり、ＣＵＲＶｍｉｎは、ジオプター単位で表されている。
【００４０】
同様に、最大曲率ＣＵＲＶｍａｘは、非球面表面上の任意の点において次式により定義することができる。
【００４１】
【数２】
2014512023.tif 000004
【００４２】
ただし、Ｒｍｉｎは、メートル単位で表した局所的最小曲率半径であり、ＣＵＲＶｍａｘは、ジオプター単位により表されている。
【００４３】
表面が局所的に球面である場合、局所的最小曲率半径Ｒｍｉｎ及び局所的最大曲率半径Ｒｍａｘは、同じであり、したがって、最小及び最大曲率半径ＣＵＲＶｍｉｎ及びＣＵＲＶｍａｘも等しい。
【００４４】
最小及び最大曲率半径ＣＵＲＶｍｉｎ及びＣＵＲＶｍａｘのこれらの式から、ＳＰＨｍｉｎ及びＳＰＨｍａｘと示される最小及び最大球面は、検討下の表面の性質に従って導き出すことができる。
【００４５】
検討下の表面が対象側表面（フロント表面とも呼ばれる）である場合、これらの式は、次のようになる：
【００４６】
【数３】
2014512023.tif 000005
【００４７】
ここでｎは、レンズの構成材料の屈折率である。
【００４８】
検討下の表面が眼球側（リア表面とも呼ばれる）である場合、これらの式は、次のようになる：
【００４９】
【数４】
2014512023.tif 000006
【００５０】
ここで、ｎは、レンズの構成材料の屈折率である。
【００５１】
よく知られているように、非球面表面の任意の点における平均球面ＳＰＨｍｅａｎも次式により定義することができる：
【００５２】
【数５】
2014512023.tif 000007
【００５３】
−  円柱面ＣＹＬも、式ＣＹＬ＝ＳＰＨｍａｘ−ＳＰＨｍｉｎにより定義される。
【００５４】
レンズの任意の複合表面の特性は、局所的平均球面及び局所的円柱面の手段により表すことができる。表面は、円柱面が少なくとも０．２５ジオプターである場合、局所的に非球面であるとみなすことができる。
【００５５】
レンズがその非球面表面の１つを参照することにより特徴付けられる場合には常に、それぞれ極小マーキングを有する表面及び極小マーキングをもたない表面について、基準は図７９及び８０に示した極小マーキングに関して定義される。
【００５６】
累進レンズは、整合規格ＩＳＯ  ８９９０−２により必須とされている極小マーキングを含んでいる。一時的マーキングもレンズの表面に適用することができ、たとえば遠方視の制御点、近方視の制御点、プリズム基準点及び合わせ十字など、レンズ上の制御点の位置を指示する。一時的マーキングが存在しない場合又は消去された場合、当業者は、いつでも実装チャート又は永久極小マーキングを使用することによりレンズ上に制御点を位置付けることができる。レンズ製造業者は、制御点における処方を保証する必要がある。
【００５７】
極小マーキングは、レンズの両方の表面の基準を定義することも可能にする。
【００５８】
図７９は、極小マーキングを有する表面の基準を示す。表面の中心（ｘ＝０，ｙ＝０）は、表面の点である。この点において表面への法線Ｎが２つの極小マーキングを連結するセグメントの中心を横切る。ＭＧは、２つの極小マーキングにより定義される共線単位ベクトルである。基準のベクトルＺは、単位法線に等しい（Ｚ＝Ｎ）。基準のベクトルＹは、ＭＧによるＺのベクトル積に等しい。基準のベクトルＸは、ＺによるＹのベクトル積に等しい。したがって｛Ｘ，Ｙ，Ｚ｝は、直接正規直交三面体を形成する。基準の中心は、表面の中心ｘ＝０ｍｍ，ｙ＝０ｍｍである。Ｘ軸は水平軸であり、Ｙ軸は垂直軸である。
【００５９】
図８０は、極小マーキングを有する表面の反対側の表面の基準を示す。この第２表面の中心（ｘ＝０，ｙ＝０）は、第１表面上の２つの極小マーキングを結合するセグメントの中心を横切る法線Ｎが第２表面を横切る点である。第２表面の基準は、第１表面の基準と同じ方法で構築される。すなわち、ベクトルＺは、第２表面の単位法線に等しい。ベクトルＹは、ＭＧによるＺのベクトル積に等しい。ベクトルＸは、ＺによるＹのベクトル積に等しい。第１表面に関しては、Ｘ軸は水平軸であり、Ｙ軸は。この表面の基準の中心もｘ＝０ｍｍ，ｙ＝０ｍｍである。
【００６０】
同様に、半製品レンズブランクについて、規格ＩＳＯ  １０３２２−２は、極小マーキングの適用を要求する。したがって半製品レンズブランクの非球面表面の中心は、上述したように決定され、かつ、基準とすることができる。
【００６１】
さらに、累進多焦点レンズも、これらのレンズを着用する人の状況を考慮しつつ、光学的特性により定義することができる。たとえば光学的特性によりレンズを定義している欧州特許出願公開第Ａ−０  ９２７  ３７７号明細書、欧州特許出願公開第Ａ−０  ９９０  ９３９号明細書又は国際公開第Ａ−２０１０／１００５２８号パンフレットを参照することができる。
【００６２】
本来的に知られているように、着用者の屈折力及び乱視は、各視線方向において定義することができる。
【００６３】
着用条件におけるレンズの屈折力及び乱視の可能な定義は、Ｂ．Ｂｏｕｒｄｏｎｃｌｅほかによる“Ｒａｙ  ｔｒａｃｉｎｇ  ｔｈｒｏｕｇｈ  ｐｒｏｇｒｅｓｓｉｖｅ  ｏｐｈｔｈａｌｍｉｃ  ｌｅｎｓｅｓ”と題されている論文（１９９０  Ｉｎｔｅｒｎａｔｉｏｎａｌ  Ｌｅｎｓ  Ｄｅｓｉｇｎ  Ｃｏｎｆｅｒｅｎｃｅ，Ｄ．Ｔ．Ｍｏｏｒｅ  ｅｄ．，Ｐｒｏｃ．Ｓｏｃ．Ｐｈｏｔｏ．Ｏｐｔ．Ｉｎｓｔｒｕｍ．Ｅｎｇ．）において説明されているように計算することができる。着用条件は、所与のレンズについて光線追跡プログラムから計算することができる。さらに、屈折力及び乱視は、自分の眼鏡を前記着用条件で着用する着用者のために処方が満たされるように計算することができる。屈折力及び乱視は、フロントフォコメータにより測定することもできる。
【００６４】
光学項における値は、注視方向について表すことができる。注視方向は、通常、枠（その原点が眼の回転の中心である）におけるその低下角度及び方位角により与えられる。レンズが眼の前に取り付けられたとき、合わせ十字と呼ばれる点が瞳孔の前又は主要注視方向の眼の眼球回転中心Ｑ’の前に置かれる。主要注視方向は、着用者が真っ直ぐ前を見ている状況に対応する。選択された枠において、合わせ十字は、したがって、合わせ十字が置かれている表面がリア表面であるか又はフロント表面であるかに関係なく０°の低下角α及び０°の方位角βに対応する。
【００６５】
これからの記述において、「上部」、「下部」、「水平」、「垂直」、「上に」、「下に」又は関係位置を示すその他の用語を使用する。これらの用語は、レンズの着用条件に関して理解されるべきである。特にレンズの「上の」部分は、負の低下角α＜０°に対応し、また、レンズの「下の」部分は、正の低下角α＞０°に対応する。同様にレンズ又は半製品レンズブランクの表面の「上の」部分は、図７９及び８０について前記において定義した枠におけるｙ軸沿いの正の値、好ましくは合わせ十字におけるｙ＿値より大きいｙ軸沿いの値に対応し、また、レンズ又は半製品レンズブランクの表面の「下の」部分は、ｙ軸沿いの負の値、好ましくは合わせ十字におけるｙ＿値より小さいｙ軸沿いの値に対応する。
【００６６】
レンズを通して観察される視野域を図８１に大まかに示す。レンズは、レンズの上部に位置する遠方視領域２６、レンズの下部に位置する近方視領域２８，及びレンズの下方に遠方視領域２６と近方視領域２８の間に位置する中間域３０を含む。レンズは、３つの領域を通過して鼻側及びこめかみ側を画定する主要経線３２も含んでいる。一般的に、遠方視領域２６は、遠方視制御点ＦＶを含み、また、近方視領域２８は、近方視制御点ＮＶを含んでいる。レンズの表面を考察するとき、遠方視領域及び近方視領域は、上で定義した域の表面に対する投影として定義することができる。レンズ又は半製品レンズブランクの表面を考察する場合、遠方視領域、近方視領域は、それぞれ、レンズが使用されるときに、遠距離視界域、近距離視界域に貢献する域として定義することができる。
【００６７】
本発明の目的のために、累進レンズの経線３２は、以下のとおり定義される：合わせ十字に対応する注視方向と近方視領域に存在する注視方向間のα＝α１の視野角の各低下について、局所的残余乱視が最小となる注視方向（α１，β１）を求める。したがって、この方法により定義されたすべての注視方向は、エルゴラマ接眼レンズ・システムの経線を形成する。このレンズの経線は、着用者が遠方視から近方視に移行するときの着用者の平均注視方向の軌跡を表す。このレンズの表面の経線３２は、次のように定義することができる：レンズの光学経線に属する各注視方向（α，β）は、点（ｘ，ｙ）において表面と交差する。この表面の経線は、レンズの経線の注視方向に対応する点の集合である。レンズの非球面表面の、又は半製品レンズブランクの非球面表面の経線３２は、次のように定義することもできる：表面の基準の中心（ｘ＝０ｍｍ；ｙ＝０ｍｍ）と表面の底部の間の各ラインｙについて、局所的円柱面が最小となる点（ｘ，ｙ）を求める。
【００６８】
図８１に示すように、経線３２は、レンズを鼻領域及びこめかみ領域に分離する。予想どおりに、鼻領域は、経線と着用者の鼻の間にあるレンズの領域であるのに対し、こめかみ領域は、経線と着用者のこめかみの間にある領域である。
【００６９】
本発明は、志願者による歪みの観察に依存している。特に、志願者は、漸減フロント表面が最終レンズ上の周辺視力の光学的歪みを改善すること確認した。志願者は、フロント表面が漸減的であればあるほど、歪みがよりよく補償されることを観察した。
【００７０】
「漸減的表面」の意味は、遠方視領域、近方視領域及び遠方視領域と距離視力域を接続する逓減平均球面値領域を有する連続非球面表面である。「累進的表面」の意味は、遠方視領域、近方視領域及び遠方視領域と距離視力域を接続する逓増平均球面値領域を有する連続非球面表面である。
【００７１】
「表面の加入度」は、近方視領域に属する近方視基準点（ＮＶ）と遠方視領域に属する遠方視基準点（ＦＶ）間の平均球面変化として定義することができる。基準点は、たとえば制御点を含むがそれに限定されない。表面の加入度は、以下のように表現することができる。
Ａｄｄｓｕｒｆａｃｅ＝ＳＰＨｍｅａｎ（ＮＶ）−ＳＰＨｍｅａｎ（ＦＶ）
Ａｄｄｓｕｒｆａｃｅ＞０の場合、表面は累進表面
Ａｄｄｓｕｒｆａｃｅ＜０の場合、表面は漸減表面
表面加入度の絶対値が最大になるように遠方視基準点及び近方視基準点が遠距離及び近方視領域中に選択された場合、この加入度値は、表面の最大加入度値と呼ばれる。
【００７２】
本発明によるレンズブランクの漸減表面は、少なくとも遠方視領域の一部の中に平均球面値を有しており、それは近方視領域の少なくとも一部の中の平均球面値より大きい。
【００７３】
しかしながら、フロント表面が漸減的である場合、すなわち、遠方視領域の少なくとも一部の中の平均球面値が近方視領域の少なくとも一部の中の平均球面値より大きい場合、リア表面は、最終レンズ上で正の屈折力加入度を得るためになお一層強い加入度をもたなければならない。処方された加入度の２ジオプターの処方に適する累進レンズについて、フロント表面がたとえば約３ジオプターの負の加入度を有する場合、リア表面は、このレンズに約２ジオプターの正の屈折力加入度を確保するために約５ジオプターの正の加入度を有するべきである。
【００７４】
リア表面上のかかる強い球面変化は、強い円柱面変化も引き起こす。球面及び円柱面の強い変化は、表面の機械加工時の複雑さを増大する。
【００７５】
実際に、レンズの表面を機械加工する際、最初に研削ステップを行い、このステップにおいてレンズの表面から材料を取り去り、求められている表面特性を得るために必要な形状にできるだけ近い表面を形成する。次に研磨ステップを行い、研削ステップで得られた形状を保存しつつ、透明な表面を得る。
【００７６】
研削ステップ中、球面及び円柱面の勾配は、機械加工工具の加速に影響を及ぼす。勾配が大きいほど、加速は急峻となり、それは研削で得られた表面の劣化、ひいては光学特性の劣化に通ずることがある。
【００７７】
研磨ステップ中、勾配は除去される傾向にある。勾配が鋭く変化する場合には常に、研磨は、この変化を和らげようとし、それは研磨により得られる表面の劣化、特に経線沿いの劣化に通ずることがある。
【００７８】
さらに、球面と円柱面の強い勾配及び勾配の大きな変化は、両表面を相互の位置決めに対して非常に敏感にする。両表面間の位置決め誤差は、製造工程により、たとえば未仕上げ表面から第２表面を作成するためにレンズブランクをデジタル表面加工機械のブロッカーに配置するときに引き起こされる。
【００７９】
図８２は、デジタル表面加工機械のレンズ・ブロッキング装置２０の基準フレームへのレンズブランク１０の位置付けを示す。
【００８０】
ブロッカー２０中のレンズブランク１０の基準枠は、以下により定義することができる。
【００８１】
−  値Ｔｘ、Ｔｙを有する水平面ＸＹにおける平行移動Ｔｘ及びＴｙ。これらは、それぞれ、この水平面におけるレンズ・ブロックの中心点０のＸ及びＹ方向沿いのオフセットを定義する；
−  垂直軸Ｚ沿いの平行移動ＴＺ
−  垂直Ｚ軸の周りのレンズブランクの向きＲＺ
−  水平Ｙ軸の周りのレンズブランクの向きＲＹ
−  水平Ｘ軸の周りのレンズブランクの向きＲＸ。
【００８２】
レンズブランクの位置決めの誤差、すなわち、平行移動及び／又は回転は、第２表面を第１表面に関するオフセットで表面仕上げすることに通じ、その結果、最終レンズの光学性能が公称性能（公称性能は、製造誤差を考慮しないレンズの理論性能である）に合致しないことになる。レンズ製造時の位置決め誤差を補償する１つの方法は、国際公開第Ａ−２０１０／０７２７４９号パンフレットにおいて開示されている。しかし、表面が難しい設計、すなわち、球面と円柱面の大きな勾配及び勾配の大幅な変化を伴う場合、位置決めのごくわずかな誤差でもレンズの光学性能と公称性能間の大幅な光学的相違をもたらす。
【００８３】
したがって、本発明は、非常に容易な設計の漸減表面を有する半製品レンズブランクを提案する。かかる容易な設計は、勾配があまりにも急激に変化しないことを保証する。それにより、目標の光学設計及び着用者の処方を実現するようにブランクの未仕上げ表面が機械加工されるときに、球面と円柱面の勾配の値及び変化もよりよく制御される。
【００８４】
本発明は、非常に容易な設計のフロント漸減表面を有する累進レンズも提案する。以下において、半製品レンズブランクの第１漸減表面に関して詳細な記述を行う。しかし、以下の記述は、累進レンズのフロント漸減表面について同様な用語で行い得る。
【００８５】
これまでに説明したように、非球面表面は、局所的に平均球面又は円柱面として定義することができる。
【００８６】
球面及び円柱面の勾配も定義することができる。勾配は、在来から、それぞれ平均球面（それぞれ円柱面）のこの軸沿いの偏導関数に等しいこの軸沿いの両座標を有するベクトルとして定義される。以下は用語の誤用であるが、この勾配ベクトルのノルムは、勾配と呼ばれる、すなわち：
【００８７】
【数６】
2014512023.tif 000008
【００８８】
球面及び円柱面の勾配は、球面及び円柱面における局所的変化を表す。球面の勾配は、表面の加入度が小幅又はゆるやか、すなわち、急激ではないので、それだけ小さい。それにも関わらず、必要な累進的又は漸減的表面は、ゼロではない球面勾配を有する。
【００８９】
円柱面は、局所的表面が球面表面から偏位している程度を表す。球面における変化は、必然的に円柱面における変化をもたらし、そして円柱面がレンズ表面全面にわたり皆無であることはあり得ない。
【００９０】
高さｚに関する第四次導関数も非球面表面の各点において定義することができる。かかる第四次導関数は、次のとおり表すことができる：
【００９１】
【数７】
2014512023.tif 000009
【００９２】
第四次導関数Ｄ４は、勾配値の変化の急速性、すなわち、球面及び円柱面の変化の加速度を表す。
【００９３】
本発明は、レンズブランクの第１表面の第四次導関数Ｄ４の値を制御することを提案する。かかる制御は、したがって、これからさらに詳しく説明するように、レンズの第２表面を機械加工する場合及びデジタル表面加工技術を使用するときにこの第１表面を機械加工する場合の研磨ステップにおける表面劣化の可能性をかなり低減することに貢献する。
【００９４】
この数量は、少なくともレンズブランクの第１表面の中心部分について制御される。この中心部分は、主要経線の一部分、遠方視領域の基準点及び近方視領域の基準点を含む。これらの基準点は、上で定義した制御点とすることができるが、その他の基準点も選択することができる。たとえば、Ｄ４の値は、４０ｍｍ直径の円内、すなわちレンズブランク中心の周りの２０ｍｍ半径内で制御される。これは、レンズ着用者により頻繁に使用されないレンズの縁の領域を除くことになる。レンズの光学性能は、一般的に、眼の回転の中心に中心配置される＋／−４０°の円錐開口部内に含まれる視線方向については、中心部分内にあると考えられている。本発明は、表面の加入度の関数ではない数量を得るために第四次導関数の値を正規化することも提案する。正規化係数は、加入度値を含む。
【００９５】
本発明は、特に、半製品レンズブランクの漸減表面を決定するときに第四次導関数Ｄ４に対する限界値を設定することを提案する。より具体的には、第四次導関数Ｄ４の正規化値をレンズブランクの少なくとも中心部分について５．０．１０−５ｍｍ−２．ジオプター−１に制限し、かつ、望ましくは、ブランクの３．５．１０−５ｍｍ−２．ジオプター−１に制限する。
【００９６】
レンズブランクの非球面表面の経線沿いに位置する第四次導関数の最大値Ｄ４、第四次導関数Ｄ４の正規化値は、経度線＋／−５ｍｍにより区切られるレンズブランクの部分について５．０．１０−５ｍｍ−２．ジオプター−１に制限し、かつ、より望ましくは、３．５．１０−５ｍｍ−２．ジオプター−１に制限できる。しかし、第四次導関数Ｄ４の値は、この中心部分についてゼロとなることはできず、１．０．１０−６ｍｍ−２．ジオプター−１の最小値が期待される。正規化係数は、表面の加入度の最大値に等しい。
【００９７】
本発明は、レンズブランクの第１表面について球面及び円柱面の勾配の値を制御することも提案する。かかる制御は、レンズの第２表面を機械加工する場合及びデジタル表面加工技術を使用するときにこの第１表面を機械加工する場合の研削ステップにおける表面劣化の可能性をかなり低減することに貢献する。
【００９８】
球面及び円柱面の勾配は、少なくともレンズブランクの第１表面の中心部分について制御される。たとえば、球面及び円柱面の勾配は、上で定義した４０ｍｍ直径の円内で制御される。球面及び円柱面の勾配の限界値は、表面の加入度の関数ではない数量を得るために正規化することができる。
【００９９】
本発明は、特に、半製品レンズブランクの漸減表面を決定するときに球面勾配の限界値を設定することを提案する。より具体的には、球面傾斜の正規化値は、レンズブランクの少なくとも中心部分について７．５０．１０−１ｍｍ−１に制限し、かつ、好ましくはブランクの中心部分について６．５０．１０−１ｍｍ−１に制限する。しかし、球面傾斜の値は中心部分についてゼロとすることはできず、１．０．１０−２ｍｍ−１の最小値が期待される。正規化係数は、表面の加入度の最大値に等しい。
【０１００】
さらに、本発明は、半製品レンズブランクの漸減表面を決定するときに円柱面勾配の限界値を設定することも提案する。より具体的には、円柱面傾斜の正規化値は、レンズブランクの少なくとも中心部分について１．４５ｍｍ−１に制限し、かつ、好ましくはブランクの中心部分について１．２５ｍｍ−１に制限する。しかし、球面傾斜の値は中心部分についてゼロとすることはできず、１．０．１０−２ｍｍ−１の最小値が期待される。正規化係数は、表面の加入度の最大値に等しい。
【０１０１】
以下において、われわれは、ｘ軸がレンズの水平軸に対応し、ｙ軸が垂直軸に対応する正規直交座標系を使用する。基準枠の中心Ｏは、図７９及び８０に関して定義したレンズブランクの表面の幾何学的中心である。以下の記述においては、両軸はミリメートル目盛とする。
【０１０２】
図１〜２５は、半製品レンズブランクの表面、すなわち最終レンズのフロント表面の図示である。図１〜５及び図６〜１０は、本発明の範囲外の比較例による表面の図示である。図１１〜１５及び図１６〜２０及び図２１〜２５は、本発明の３つの実施形態による表面の図示である。以下において、２つの比較例についてレンズ１及びレンズ２を参照し、本発明の３つの例についてレンズ３、レンズ４，及びレンズ５を参照する。
【０１０３】
これらの５つの例は、直径６０ｍｍの半製品レンズブランクについて０ジオプターの遠方視の処方光学屈折率、０ジオプターの遠方視の処方乱視及び２．５ジオプターの処方加入度を処方された着用者のレンズについて与えられている。遠方視制御点における平均球面値は、４．７２ジオプターである。
【０１０４】
図１は、第１比較例の表面に関する経線沿いの遠方視制御点の平均球面値に対する平均球面変化のグラフである。ｘ軸はジオプター単位の目盛、ｙ軸値はｍｍ単位である。遠方視制御点は、表面上で０ｍｍのｘ軸値及び８ｍｍのｙ軸値を有し、かつ、４．７２ジオプターの球面及び０．０２ジオプターの円柱面を有する。近方視制御点は、表面上で３ｍｍのｘ軸値及び−１４ｍｍのｙ軸値を有し、かつ、２．２０ジオプターの球面及び０．０４ジオプターの円柱面を有する。公称表面加入度は、制御点における平均球面間の差異として計算して、−２．５２ジオプターである。
【０１０５】
図６は、第２比較例の表面に関する経線沿いの遠方視制御点の平均球面値に対する平均球面変化のグラフである。ｘ軸はジオプター単位の目盛、ｙ軸値はｍｍ単位である。遠方視制御点は、表面上で０ｍｍのｘ軸値及び８ｍｍのｙ軸値を有し、かつ、４．７２ジオプターの球面及び０．０２ジオプターの円柱面を有する。近方視制御点は、表面上で３ｍｍのｘ軸値及び−１４ｍｍのｙ軸値を有し、かつ、２．２０ジオプターの球面及び０．０６ジオプターの円柱面を有する。公称表面加入度は、制御点における平均球面間の差異として計算して、−２．５２ジオプターである。
【０１０６】
図１１は、本発明の第１例による表面の経線沿いの平均球面のグラフである。ｘ軸はジオプター単位の目盛、ｙ軸値はｍｍ単位である。遠方視制御点は、表面上で０ｍｍのｘ軸値及び８ｍｍのｙ軸値を有し、かつ、４．７２ジオプターの球面及び０．０７ジオプターの円柱面を有する。近方視制御点は、表面上で３ｍｍのｘ軸値及び−１４ｍｍのｙ軸値を有し、かつ、２．２０ジオプターの球面及び０．０８ジオプターの円柱面を有する。公称表面加入度は、制御点における平均球面間の差異として計算して、−２．５１ジオプターである。
【０１０７】
図１６は、本発明の第２例による表面の経線沿いの平均球面のグラフである。ｘ軸はジオプター単位の目盛、ｙ軸値はｍｍ単位である。遠方視制御点は、表面上で０ｍｍのｘ軸値及び８ｍｍのｙ軸値を有し、かつ、４．７２ジオプターの球面及び０．０７ジオプターの円柱面を有する。近方視制御点は、表面上で３ｍｍのｘ軸値及び−１４ｍｍのｙ軸値を有し、かつ、２．２０ジオプターの球面及び０．０８ジオプターの円柱面を有する。公称表面加入度は、制御点における平均球面間の差異として計算して、−２．５１ジオプターである。
【０１０８】
図２１は、本発明の第３例による表面の経線沿いの平均球面のグラフである。ｘ軸はジオプター単位の目盛、ｙ軸値はｍｍ単位である。遠方視制御点は、表面上で０ｍｍのｘ軸値及び８ｍｍのｙ軸値を有し、かつ、４．７１ジオプターの球面及び０．１０ジオプターの円柱面を有する。近方視制御点は、表面上で３ｍｍのｘ軸値及び−１４ｍｍのｙ軸値を有し、かつ、２．２１ジオプターの球面及び０．１０ジオプターの円柱面を有する。公称表面加入度は、制御点における平均球面間の差異として計算して、−２．５０ジオプターである。
【０１０９】
図１及び図６を図１１、図１６及び図２１と比較することにより、漸減値はすべての表面についてほぼ同じであるが、制御点の近傍における球面変化は本発明による球面上において弱めであることが分かる。より具体的には、制御点近くに位置する球面及び円柱面の鋭い変化は、特にレンズ５の例において、本発明による表面上で抑制されている。上記において定義した第四次導関数Ｄ４の最大値は、球面及び円柱面のこれらの鋭い変化を表す。Ｄ４は、球面及び円柱面の加速に直接関連している。少なくとも経線、近方視制御点及び遠方視制御点を含む表面の中心部分についてＤ４に対する限界値を設定した場合、平均球面の加速が最強である経線の領域が軟化される。
【０１１０】
図２、７、１２、１７及び２２は、それぞれ、レンズ１、レンズ２、レンズ３、レンズ４及びレンズ５のフロント表面の遠方視制御点の平均球面値に対する平均球面変化を示すマップである。これらのマップは、（ｘ，ｙ）平面に対する表面の投影を示す。上記において定義した（ｘ，ｙ）基準枠及び主要経線の存在が分かる。遠方視及び近方視の制御点は、それぞれ、（０；８）及び（３；−１４）の座標を有する。
【０１１１】
図２、７、１２、１７及び２２では、等球面線、換言すると同一平均球面値を有する点を結合する線が見られる。比較例の表面との比較により、本発明による表面上では、球面勾配がかなり小さい、すなわち等球面線がよりまばらであることが分かる。
【０１１２】
図３、８、１３、１８及び２３は、それぞれ、レンズ１，レンズ２，レンズ３、レンズ４、レンズ５のフロント表面の円柱面のマップである。図２、７、１２、１７及び２２の場合と同じ図示規約及び表示を使用するが、ただ、これらの図では球面の代わりに円柱面を示す。比較例の表面との比較により、本発明による表面上では、円柱面勾配がかなり小さい、すなわち等円柱面面線がよりまばらであることが分かる。
【０１１３】
図４、９、１４、１９及び２４は、それぞれ、レンズ１，レンズ２，レンズ３、レンズ４、レンズ５のフロント表面の球面勾配のマップである。これらのマップから、本発明による表面の球面勾配は困難な設計をもたらす比較例の表面の球面勾配よりかなり小さいことが分かる。特に、公称表面加入度に正規化された球面勾配は、本発明の表面の中心点Ｏ上に中心配置された４０ｍｍの円内の任意の点において７．５０．１０−１ｍｍ−１より小さい。なお、これらのマップは球面勾配の非正規化値を示していることに注意されたい。
【０１１４】
図５、１０、１５、２０及び２５は、それぞれ、レンズ１，レンズ２，レンズ３、レンズ４、レンズ５のフロント表面の円柱面勾配のマップである。これらのマップから、本発明による表面の円柱面勾配が困難な設計をもたらす比較例の表面の円柱面勾配よりかなり小さいことが分かる。特に、公称表面追加に正規化された円柱面勾配は、本発明の表面の中心点Ｏ上に中心配置された４０ｍｍの円内の任意の点において１．４５ｍｍ−１より小さい。なお、これらのマップは円柱面勾配の非正規化値を示していることに注意されたい。
【０１１５】
図１４〜１５、１９〜２０、２４〜２５における等勾配線は、図４〜５及び９〜１０に比較して、レンズの中心部分でかなりまばらであり、お互いに接近していないことも分かる。レンズ３，レンズ４及びレンズ５のフロント表面上の勾配の変化は、レンズ１及びレンズ２のフロント表面上の勾配の変化よりかなり小さい。これは、第四次導関数Ｄ４が本発明の表面上で比較例の表面と比較して小さい値を有することを示している。
【０１１６】
さらに、遠方視領域におけるＤ４の最大値は、遠方視制御点近く、すなわちｙ軸沿いの表面の中心の上少なくとも４ｍｍに位置しており、好ましくはｙ軸沿いの表面の中心の上少なくとも８ｍｍに位置する。また、近方視領域におけるＤ４の最大値は、近方視制御点の下、すなわち表面の中心の下少なくとも８ｍｍに位置しており、好ましくは表面の中心の下少なくとも１４ｍｍに位置する。その結果、勾配変化は、半製品レンズブランクの第１表面の中心部分上でより小さい。また、計算されたリア表面のＤ４の最大値もより小さく、かつ、表面加工もより正確となる。
【０１１７】
下の表Ｉは、検討下のレンズのフロント表面の第四次導関数Ｄ４、球面勾配及び円柱面勾配の正規化最大値をまとめて示している。
【０１１８】
【表１】
2014512023.tif 000010
【０１１９】
図２６〜４０は、検討下のレンズの公称性能の光学分析である。公称性能は、当該レンズ上の光学的欠陥の再配分からもたらされる選択最善妥協として定義される。次に目標光学機能を定義し、レンズの表面特性を定義するときに光学的最適化中に使用する。製造され最終的に得られたレンズは、特に機械加工限界及び位置付け欠陥のために公称性能からわずかに偏位する光学性能を有するであろう。
【０１２０】
図２６、２９、３２、３５、３８は、それぞれ、レンズ１，レンズ２、レンズ３，レンズ４及びレンズ５の主経線沿いの公称屈折率を表している。光学的加算は、遠方視制御点における屈折率をゼロとして、レンズ１及びレンズ２では２．６９ジオプター、レンズ３では２．６７ジオプター、レンズ４及びレンズ５では２．６６である。経線沿いの光学性能がすべてのレンズについて同じであることは、すぐに分かる。
【０１２１】
図２７、３０、３３、３６及び３９は、それぞれ、レンズ１、レンズ２、レンズ３、レンズ４及びレンズ５を使用する着用者により知覚される公称屈折率を示す。図２８、３１、３４、３７及び４０は、それぞれ、レンズ１、レンズ２、レンズ３、レンズ４及びレンズ５による結果の乱視を示す。光学性能がすべてのレンズについて実質的に同じであることは、すぐに分かる。
【０１２２】
本発明による半製品レンズブランクを使用すると、これから説明するようにレンズの光学性能を維持しつつレンズを容易に製造することが可能になる。
【０１２３】
図４１から６５は、図１〜２５のレンズブランクから製造されたレンズの第２表面、すなわち、検討されたレンズ、レンズ１、レンズ２、レンズ３、レンズ４及びレンズ５のリア表面の図示である。
【０１２４】
図４１、４６、５１、５６及び６１は、それぞれ、レンズ１、レンズ２、レンズ３、レンズ４及びレンズ５のリア表面の経線沿いの平均球面変化のグラフである。公称表面累進多焦点は、制御点における平均球面間の差異として計算して、レンズ１及びレンズ２については４．７６ジオプター、レンズ３、レンズ４及び５については４．７７ジオプターである。
【０１２５】
４１及び４６を図５１、５６及び６１と比較することにより制御点における球面及び円柱面の鋭い変化が、特に図５６及び６１において、よりなだらかであることが分かる。第２表面の製造は、したがってより容易となる。
【０１２６】
図４２、４７、５２、５７及び６２は、それぞれ、レンズ１、レンズ２、レンズ３、レンズ４及びレンズ５のリア表面の遠方視制御点の平均球面値に対する平均球面変化を示すマップである。図４３、４８、５３、５８及び６３は、それぞれ、レンズ１、レンズ２、レンズ３、レンズ４及びレンズ５のリア表面の円柱面を示すマップである。図４４、４９、５４、５９及び６４は、それぞれ、レンズ１、レンズ２、レンズ３、レンズ４及びレンズ５のリア表面の球面勾配を示すマップである。図４５、５０、５５、６０及び６５は、それぞれ、レンズ１、レンズ２、レンズ３、レンズ４及びレンズ５のリア表面の円柱面勾配を示すマップである。
【０１２７】
本発明による第１表面を有するレンズブランクを使用した場合、比較例による第１表面を有するレンズブランクを使用した場合に比べて、第２表面上の球面及び円柱面の勾配が小さくなることが分かる。図５４〜５５、５９〜６０、６４〜６５の等勾配線がレンズの中央部分において図４４〜４５及び４９〜５０と比べてまばらになり、お互いに近接していないことも分かる。これは、第四次導関数Ｄ４が本発明によるフロント表面を有するレンズのリア表面上において比較例によるフロント表面を有するレンズのリア表面に比べて小さい値を有することを示している。
【０１２８】
下の表ＩＩは、検討下のレンズのリア表面の第四次導関数Ｄ４、球面勾配及び円柱面勾配の正規化最大値をまとめて示している。
【０１２９】
【表２】
2014512023.tif 000011
【０１３０】
フロント表面上の球面及び円柱面の勾配の制御のため、球面及び円柱面の勾配はリア表面上で低減することができ、かつ、デジタル表面加工工具の加速度はレンズの表面の表面加工中に制限される。したがって、表面の研削は、より正確となる。
【０１３１】
フロント表面上の第四次導関数制御のため、レンズのリア表面の表面加工中の勾配の鋭い変化も回避される。それにより、リア表面の研磨の受ける悪影響も少なくなる。
【０１３２】
したがって、本発明による半製品レンズブランクの使用は、容易な設計及び第四次導関数値の制御とあいまって、レンズの製造を容易にするとともに、第２表面の表面加工後に得られるレンズの光学品質をさらに改善する。
【０１３３】
実際、図２６〜４０に関して前述したように、公称光学性能は、すべてのレンズについて実質的に同じである。それはそれとして、本発明のレンズは、製造中の位置決め欠陥に対する高い耐性を有する。
【０１３４】
図６６〜６８は、フロント表面についてＴｘ＝＋０．２ｍｍ、Ｔｖ＝＋０．２ｍｍ、Ｒｚ＝＋０．５°及びリア表面についてＴｘ＝−０．２ｍｍ、Ｔｖ＝−０．２ｍｍ、Ｒｚ＝−０．５°のシミュレーション位置決め欠陥を有するレンズ１の光学性能である。図６９〜７１は、同じシミュレーション位置決め欠陥を有するレンズ５の光学性能である。図７２〜７４は、公称光学性能及びレンズ１の位置決め欠陥を有するシミュレーション光学性能の重ね合わせ、すなわち、図２６〜２８と図６６〜６８の重ね合わせである。図７５〜７７は、公称光学性能及びレンズ５の位置決め欠陥を有するシミュレーション光学性能の重ね合わせ、すなわち、図３８〜４０と図６９〜７１の重ね合わせである。図７８は、検討下のレンズの公称性能と位置決め欠陥を有するシミュレーション光学性能間の最大偏差を示すグラフである。位置決め欠陥の影響は、レンズの中央部分及び特に視線方向−４０°＜α＜４０°及び−４０°β＜４０°について評価された。図７８のグラフを得るために、公称屈折率／結果乱視とシミュレーション屈折率／結果乱視の間の偏差を各レンズについて上記で定義した中央部分における各視線方向について計算した。次に最大偏差をレンズの中央部分のすべての視線方向の偏差値から評価する。これから直ちに明らかとなることは、同一の位置決め誤差をシミュレートしたにも関わらず、本発明によるフロント漸減を有するレンズが比較例によるフロント漸減を有するレンズより小さい公称性能からの偏差を有することである。したがって、本発明によるレンズブランクから製造されたレンズは、製造された後に強化される光学品質を有する。
【０１３５】
レンズの漸減フロント表面を定義するときに球面勾配、円柱面勾配及び第四次導関数について設定された最大値は、前に説明したようにリア表面が研削及び研磨中に多数の欠陥を生ずることなく製造できることを保証するのみならず、小さな位置決め誤差が製造されるレンズの光学性能にわずかな影響しか及ぼさないことも保証する。すなわち、着用者の視力は実際には悪影響を受けない。
【０１３６】
屈折力及び結果の乱視欠陥に関する着用者の視力を分析するために、いくつかの研究が行われた。特に次の刊行がある：“Ｉｎｆｌｕｅｎｃｅ  ｏｆ  ｃｏｍｂｉｎｅｄ  ｐｏｗｅｒ  ｅｒｒｏｒ  ａｎｄ  ａｓｔｉｇｍａｔｉｓｍ  ｏｎ  ｖｉｓｕａｌ  ａｃｕｉｔｙ”ｉｎ  Ｏｐｈｔｈａｌｍｉｃ  ａｎｄ  Ｖｉｓｕｌａｌ  Ｏｐｔｉｃｓ  Ｔｅｃｈｎｉｃａｌ  Ｄｉｇｅｓｔ，（Ｏｐｔｉｃａｌ  Ｓｏｃｉｅｔｙ  ｏｆ  Ａｍｅｒｉｃａ，Ｗａｓｈｉｎｇｔｏｎ，Ｄ．Ｃ．，１９９５），Ｖｏｌ．１，ｐ１５１−１５４）［Ｃａｔｈｅｒｉｎｅ  ＦＡＵＱＵＩＥＲ，Ｔｈｉｅｒｒｙ  ＢＯＮＮＩＮ，Ｃｈｒｉｓｔｉａｎ  ＭＩＥＧＥ，Ｅｒｉｃ  ＲＯＬＡＮＤ］Ｅｓｓｉｌｏｒ  Ｉｎｔｅｒｎａｔｉｏｎａｌ．０．３１ジオプターの平均屈折力の偏差が公称性能からの０．３９ジオプター（レンズ１）の結果の乱視の偏差と組み合わされた場合、大部分の着用者によりかなり感知されるレベルである３３％を超える視力低減に通ずるのに対し、０．２２ジオプターの平均屈折力の偏差が公称性能からの０．２７ジオプター（レンズ５）の結果の端子の偏差と組み合わされた場合には、一部の着用者によりわずかに感知されるレベルである２５％未満の視力低減に通ずると考えられる。
【０１３７】
表ＩＩＩは、検討下のレンズの平均屈折力の偏差値ΔＰ及び結果の乱視の最大偏差値ΔＡを要約するとともに、上で引用したＦａｕｑｕｉｅｒほかによる刊行物において示されている関係による結果の視力低減を示す。
【０１３８】
【表３】
2014512023.tif 000012
【０１３９】
出願人は、３０％の視力低減ＡＣ（％）を識別的な値と考える。
【０１４０】
第４次導関数Ｄ４の５．０．１０−５ｍｍ−２．ジオプター−１の正規化限界値及び／又はフロント漸減表面の少なくとも中央部分に関する球面／円柱面勾配の７．５．１０．１０−１ｍｍ−１／１．４５ｍｍ−１．ジオプター−１の限界値は、公称光学性能を満たしつつレンズを容易に製造できることをもたらす。
【０１４１】
本発明の半製品レンズブランクは、デジタル表面加工又は成型により製造できる。半製品レンズブランクの第１表面は、遠方視領域２６と近方視領域２８間の平均球面値の漸減及び中央部分における任意の点における５．０．１０−５ｍｍ−２．ジオプター−１未満の高さに関する第四次導関数Ｄ４値を設定することにより決定される。これまでに定義したその他の基準、特に球面勾配及び円柱面勾配の限界値も半製品レンズブランクの第１表面を決定するときに利用できる。
【０１４２】
決定された第１表面に関するデータは、半製品レンズブランクの第１表面を製造するモールドの機械加工又はデジタル表面加工機械を制御するために使用される。
【０１４３】
累進レンズは、本発明による半製品レンズブランクを使用して製造することができる。
【０１４４】
図８３は、本発明による累進多焦点眼用レンズの製造のために行われ得るステップの例のフローチャートである。
【０１４５】
着用者に関するデータを供給する（ステップ７４）。これは、第１の場所、すなわち眼鏡販売業者（眼鏡技師）のところで行うことができる。このデータを第１の場所から第２の場所に転送する（ステップ７５）。第２の場所において、半製品レンズブランクが選択され（ステップ７７）また、着用者に関するデータ及び半製品レンズブランクの第１漸減表面に関するデータに基づいてレンズの光学的最適化が行われる（ステップ７８）。これは、レンズ設計者の作業室で行い得る。半製品レンズブランクは、着用者データ、たとえば処方された加入度に基づいて選択できる。光学的最適化の結果を送付し（ステップ８０）、次に光学的最適化の結果に基づいてレンズの第２表面を決定する（ステップ８１）。これは、同じ作業室において、又は別の場所で行うことができる。第２表面に関するデータをレンズ製造業者に送付する（ステップ８２）。選択されたレンズブランクを使用して、レンズ製造業者は、決定された第２表面に従ってブランクの未仕上げ表面を表面加工する（ステップ８３）。ブランクの未仕上げ表面は、デジタル表面加工又は成型により製造することができる。
【０１４６】
本発明の累進レンズは、半製品レンズブランクを使用せずに製造することもできる。
【０１４７】
着用者に関するデータを与える（ステップ７４）。データを第１の場所から第２の場所に転送する（ステップ７５）。第２の場所において第１表面を決定する（ステップ７６）。これは、レンズ作業者の作業室で行うことができる。前に定義した基準及び特に遠方視領域２６の少なくとも一部と近方視領域２８の少なくとも一部との間の平均球面値の漸減、レンズの中央部分の任意の点における７．５０．１０−１ｍｍ−１未満の球面勾配値、レンズの中央部分の任意の点における１．４５．ｍｍ−１未満の円柱面勾配値、レンズの中央部分の任意の点における５．１０−５ｍｍ−２．ジオプター−１未満の高さに関する第四導関数（Ｄ４）を使用して第１表面を決定する。
【０１４８】
第１表面に関するデータを送付し、次に、着用者に関するデータ及び第１表面に関するデータに基づいてレンズの光学的最適化を行う（ステップ７８）。これは、第１表面の決定と同じ作業室において、又は異なる作業室において行うことができる。光学的最適化の結果を送付し（ステップ８０）、次に光学的最適化の結果に従ってレンズの第２表面を決定する（ステップ８１）。これは、やはり、同じ作業室において、又は異なる作業室において行うことができる。第１表面及び第２表面に関するデータをレンズ製造業者に転送する（ステップ８２）。次に両面デジタル表面加工（ステップ８４）又は成型によりレンズが製造される。
【０１４９】
これらの方法は、コンピュータ上で実現することができる。１つ以上の記憶された命令シーケンスを含むコンピュータ・プログラム製品を供給することができ、１つ以上の記憶された命令シーケンスは処理装置でアクセスでき、処理装置により実行されたとき、処理装置に上記の方法のステップを実行させる。
【０１５０】
かかるコンピュータ・プログラムは、フロッピー・ディスク、光ディスク、ＣＤ−ＲＯＭ、磁気光学ディスク、読み取り専用記憶（ＲＯＭ）、ランダム・アクセス・メモリ（ＲＡＭ）、電気的プログラム可能読み取り専用メモリ（ＥＰＲＯＭ）、電気的に消去可能かつプログラム可能読み取り専用記憶（ＥＥＰＲＯＭ）、磁気又は光カード又は電子命令の記憶に適し、かつ、コンピュータ・システムバスに接続できるその他のタイプの媒体を含む任意の種類のディスクを含むがこれらに限定されないコンピュータ読み取り可能な記憶媒体に記憶することができる。したがって、このコンピュータ・プログラム製品の命令の１つ以上のシーケンスを記憶するコンピュータ読み取り可能媒体を提案する。これは、この方法を任意の場所で実行することを可能にする。
【０１５１】
製造方法を実行するように適合されている累進多焦点眼用レンズを製造する一連の装置も提案する。
【図１】
2014512023.tif 000013
【図２】
2014512023.tif 000014
【図３】
2014512023.tif 000015
【図４】
2014512023.tif 000016
【図５】
2014512023.tif 000017
【図６】
2014512023.tif 000018
【図７】
2014512023.tif 000019
【図８】
2014512023.tif 000020
【図９】
2014512023.tif 000021
【図１０】
2014512023.tif 000022
【図１１】
2014512023.tif 000023
【図１２】
2014512023.tif 000024
【図１３】
2014512023.tif 000025
【図１４】
2014512023.tif 000026
【図１５】
2014512023.tif 000027
【図１６】
2014512023.tif 000028
【図１７】
2014512023.tif 000029
【図１８】
2014512023.tif 000030
【図１９】
2014512023.tif 000031
【図２０】
2014512023.tif 000032
【図２１】
2014512023.tif 000033
【図２２】
2014512023.tif 000034
【図２３】
2014512023.tif 000035
【図２４】
2014512023.tif 000036
【図２５】
2014512023.tif 000037
【図２６】
2014512023.tif 000038
【図２７】
2014512023.tif 000039
【図２８】
2014512023.tif 000040
【図２９】
2014512023.tif 000041
【図３０】
2014512023.tif 000042
【図３１】
2014512023.tif 000043
【図３２】
2014512023.tif 000044
【図３３】
2014512023.tif 000045
【図３４】
2014512023.tif 000046
【図３５】
2014512023.tif 000047
【図３６】
2014512023.tif 000048
【図３７】
2014512023.tif 000049
【図３８】
2014512023.tif 000050
【図３９】
2014512023.tif 000051
【図４０】
2014512023.tif 000052
【図４１】
2014512023.tif 000053
【図４２】
2014512023.tif 000054
【図４３】
2014512023.tif 000055
【図４４】
2014512023.tif 000056
【図４５】
2014512023.tif 000057
【図４６】
2014512023.tif 000058
【図４７】
2014512023.tif 000059
【図４８】
2014512023.tif 000060
【図４９】
2014512023.tif 000061
【図５０】
2014512023.tif 000062
【図５１】
2014512023.tif 000063
【図５２】
2014512023.tif 000064
【図５３】
2014512023.tif 000065
【図５４】
2014512023.tif 000066
【図５５】
2014512023.tif 000067
【図５６】
2014512023.tif 000068
【図５７】
2014512023.tif 000069
【図５８】
2014512023.tif 000070
【図５９】
2014512023.tif 000071
【図６０】
2014512023.tif 000072
【図６１】
2014512023.tif 000073
【図６２】
2014512023.tif 000074
【図６３】
2014512023.tif 000075
【図６４】
2014512023.tif 000076
【図６５】
2014512023.tif 000077
【図６６】
2014512023.tif 000078
【図６７】
2014512023.tif 000079
【図６８】
2014512023.tif 000080
【図６９】
2014512023.tif 000081
【図７０】
2014512023.tif 000082
【図７１】
2014512023.tif 000083
【図７２】
2014512023.tif 000084
【図７３】
2014512023.tif 000085
【図７４】
2014512023.tif 000086
【図７５】
2014512023.tif 000087
【図７６】
2014512023.tif 000088
【図７７】
2014512023.tif 000089
【図７８】
2014512023.tif 000090
【図７９】
2014512023.tif 000091
【図８０】
2014512023.tif 000092
【図８１】
2014512023.tif 000093
【図８２】
2014512023.tif 000094
【図８３】
2014512023.tif 000095
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
フロント表面及びリア表面を含む累進多焦点眼用レンズであって、各表面が各点において高さ（ｚ）、平均球面値（ＳＰＨｍｅａｎ）及び円柱面値（ＣＹＬ）を有し、
前記レンズの前記フロント表面が、
−  遠方視基準点（ＦＶ）を有する遠方視領域（２６）、
−  近方視基準点（ＮＶ）を有する近方視領域（２８）、
−  主要経線（３２）
を含み、前記フロント表面が漸減的であり、かつ、
−  前記主要経線（３２）の一部分、前記遠方視基準点（ＦＶ）及び前記近方視基準点（ＮＶ）を含む前記レンズの中央部分における任意の点において７．５０．１０−１ｍｍ−１未満の球面勾配（ＧｒａｄＳＰＨ）正規化値、
−  前記レンズの前記中央部分における任意の点における１．４５ｍｍ−１未満の円柱面勾配（ＧｒａｄＣＹＬ）正規化値
を有する、眼用レンズ。
【請求項２】
少なくとも１つの表面が、２つの極小マーキングと、前記２つの極小マーキングを結ぶセグメントの中心に位置する中心点とを含み、前記レンズの前記中央部分が前記中心点に中央配置される４０ｍｍの円である、請求項１に記載の累進多焦点眼用レンズ。
【請求項３】
第１漸減表面および第２未仕上げ表面を有する半製品眼鏡レンズブランクであって、前記第１漸減表面が各点において高さ（ｚ）、平均球面値（ＳＰＨｍｅａｎ）および円柱面値（ＣＹＬ）を有し、前記第１漸減表面が、
−  遠方視基準点（ＦＶ）を有する遠方視領域（２６）
−  近方視基準点（ＮＶ）を有する近方視領域（２８）
−  主要経線（３２）、
を含み、前記第１漸減表面が、前記主要経線（３２）の一部分、前記遠方視基準点（ＦＶ）および前記近方視基準点（ＮＶ）を含む前記ブランクの少なくとも中央部分における任意の点において５．０．ｌ０−５ｍｍ−２．ジオプター−１未満の高さに関する第四次導関数（Ｄ４）正規化値を有し、かつ、前記第１漸減表面が、
−  前記中央部分における任意の点における７．５０．１０−１ｍｍ−１未満の球面勾配（ＧｒａｄＳＰＨ）正規化値と、
−  前記中央部分における任意の点における１．４５ｍｍ−１未満の円柱面勾配（ＧｒａｄＣＹＬ）正規化値と
を有する、半製品眼鏡レンズブランク。
【請求項４】
第１漸減表面及び第２未仕上げ表面を有する半製品眼鏡レンズブランクであって、前記第１漸減表面が各点において高さ（ｚ）、平均球面値（ＳＰＨｍｅａｎ）及び円柱面値（ＣＹＬ）を有し、前記第１漸減表面が、
−  遠方視基準点（ＦＶ）を有する遠方視領域（２６）、
−  近方視基準点（ＮＶ）を有する近方視領域（２８）、
−  主要経線（３２）
を含み、前記第１漸減表面が、
−  前記主要経線（３２）の一部分、前記遠方視基準点（ＦＶ）及び前記近方視基準点（ＮＶ）を含む前記ブランクの中央部分の任意の点における７．５０．１０−１ｍｍ−１未満の球面勾配（ＧｒａｄＳＰＨ）正規化値と、
−  前記中央部分の任意の点における１．４５ｍｍ−１未満の円柱面勾配（ＧｒａｄＣＹＬ）正規化値と
を有する、半製品眼鏡レンズブランク。
【請求項５】
前記ブランクが前記ブランクの中心点の位置を定義するマーキングを有し、前記ブランクの前記中央部分が前記中心点に中央配置される４０ｍｍ直径の円である、請求項３〜４のいずれか一項に記載の半製品眼鏡レンズブランク。
【請求項６】
半製品レンズブランクを製造する方法であって、
−  第１表面及び第２未仕上げ表面を定義するステップであって、第１表面が各点において高さ（ｚ）、平均球面値（ＳＰＨｍｅａｎ）及び円柱面値（ＣＹＬ）を有するステップと、
−  遠方視基準点（ＦＶ）を有する遠方視領域（２６）、近方視基準点（ＮＶ）を有する近方視領域（２８）、主要経線（３２）、及び前記主要経線（３２）の一部分と前記遠方視基準点（ＦＶ）と前記近方視基準点（ＮＶ）とを含む前記第１表面の中央部分を定義するステップと、
−  前記第１表面を決定するステップであって、
−  前記遠方視領域（２６）の少なくとも一部と前記近方視領域（２８）の少なくとも一部との間の前記平均球面値（ΔＳＰＨｍｅａｎ）の漸減、
−  前記中央部分の任意の点における７．５０．１０−１ｍｍ−１未満の球面勾配（ＧｒａｄＳＰＨ）正規化値、及び
−  前記中央部分の任意の点における１．４５ｍｍ−１未満の円柱面勾配（ＧｒａｄＣＹＬ）正規化値、
を有するステップと、
−  前記第１表面を表面加工又は成型するステップと
を含む、方法
【請求項７】
累進多焦点眼用レンズを製造する方法であって、
−  着用者に関するデータを提供するステップと、
−  請求項３〜５のいずれか一項による半製品レンズブランクを選択するステップと、
−  着用者に関する前記データ及び前記ブランクの前記第１漸減表面に関する前記データに基づいて前記レンズの光学的最適化を行うステップと、
−  選択された前記半製品レンズブランクを供給し、かつ、前記ブランクの前記未仕上げ表面を前記光学的最適化の結果に従って表面加工又は成型するステップと
を含む、方法。
【請求項８】
累進多焦点眼用レンズを製造する方法であって、
−  着用者に関するデータを提供するステップと、
−  遠方視基準点（ＦＶ）を有する遠方視領域（２６）、近方視基準点（ＮＶ）を有する近方視領域（２８）、主要経線（３２）を定義するステップと、
−  前記レンズの第１表面を定義するステップであって、
−  前記遠方視領域（２６）の少なくとも一部と前記近方視領域（２８）の少なくとも一部との間の前記平均球面値（ΔＳＰＨｍｅａｎ）の漸減、
−  前記主要経線（３２）の一部分、前記遠方視基準点（ＦＶ）及び前記近方視基準点（ＮＶ）を含む前記レンズの中央部分の任意の点における７．５０．１０−１ｍｍ−１未満の球面勾配（ＧｒａｄＳＰＨ）正規化値、及び
−  前記レンズの前記中央部分の任意の点における１．４５ｍｍ−１未満の円柱面勾配（ＧｒａｄＣＹＬ）正規化値
を有するステップと、
−  前記着用者に関する前記データ及び前記レンズの前記第１表面に関する前記データに従って前記レンズの光学的最適化を行うステップと、
−  前記光学的最適化の結果に従って前記レンズの第２表面を決定するステップと、
−  前記第１及び第２表面を表面加工又は成型するステップと
を含む、方法。
【請求項９】
累進多焦点眼用レンズ及び／又は半製品レンズブランクを製造する一連の装置であって、請求項６〜８のいずれか一項による方法のステップを実行するように適合される装置。
【請求項１０】
処理装置でアクセスでき、前記処理装置により実行されたとき請求項６〜８のいずれか一項のステップを前記処理装置に実行させる１つ以上の記憶された命令シーケンスを含むコンピュータ・プログラム製品。
【請求項１１】
請求項１０の前記コンピュータ・プログラム製品の１つ以上の命令シーケンスを実行するコンピュータ読み取り可能媒体。
【国際調査報告】
2014512023.tif 000096
2014512023.tif 000097
2014512023.tif 000098
2014512023.tif 000099
2014512023.tif 000100